(57)【要約】【課題】窃盗犯罪等の手口や使用される道具等に対応し、抑止効果と防犯効果を兼ね備え、誤作動が少なく効果的な防犯装置を提供すること。【解決手段】異種類のセンサーを複数個組み合わせ、犯罪の特徴に応じてあらかじめ設定した条件下でセンサーの感度等を自動的に変更して、防犯装置の誤作動を低減するとともに防犯効果の向上を図る。具体策としては、防犯装置作動中を示すシールと複数の赤色光が常に点滅する警告機を設ける。電源を遮断されたときは、自動的に警報機により威嚇光と威嚇音を発生する。電源を遮断されたときは、自動的にセンサーの感度を高めてわずかな振動等に対しても警報機を作動させる。夜間は、自動的にセンサーの感度を高める。人を検知している状態で異常振動等を検知したときのみ警報機を作動させる。警報機と連動して作動する、携帯電話を利用する通報装置及び音声と画像を同時に転送できる画像転送装置を設ける。【選択図】図１
2004310712.tif 000002
【特許請求の範囲】
【請求項１】
複数の点滅光を利用して犯罪を抑止する警告機、異種類の複数個の異状感知センサー、事前に設定した特定の条件で感度が自動的に切り替わるセンサー、所定の異状信号を感知した時に光と音を利用して威嚇する警報機、異常事態の発生を携帯電話を利用して通報する通報装置及びこの防犯装置を設置した近傍の状況を音声と画像で電送する画像転送装置の、一部または全部を有し、これらが連動してシステム的に作動することを特徴とする防犯装置。
【請求項２】
請求項１の防犯装置において、前記の異状感知センサーが、光センサー、赤外線センサー、レーザーセンサー、扉開閉センサー、電圧センサー、振動センサー及び熱検知センサーの一部または全部からなり、いずれか一つ又は複数個のセンサーからの信号を処理して、あらかじめ定めた所定の条件を満たしたときに、前記の警報機を作動させることを特徴とする防犯装置。
【請求項３】
請求項１の防犯装置において、電源電圧が断となったことを感知している状態、人を感知している状態及び夜間であることを感知している状態のうち、一つまたは複数の状態が同時に生起しているときに、前記の異状感知センサーの一個または複数個のセンサーの感度が自動的に切り替わることを特徴とする防犯装置。
【発明の詳細な説明】
【０００１】
【発明の属する技術分野】
本発明は、防犯装置であり、自動販売機、現金自動預け払い機、車両、駐車場機器、店舗、事務所、倉庫、工場、住宅等に設置され、現金、商品、車両等の盗難の抑止、防止及びこの防犯装置の設置に係る機器、設備等の犯罪による損傷を防止するために使用される。
【０００２】
【従来の技術】
従来のこの種の防犯装置においては、感度が固定の１種類のセンサー１個と警報機の組み合わせ又は同センサーと警報機及び通報装置を組み合わせている。電源はＡＣ１００Ｖか乾電池のいずれかを用いている。犯罪を事前に抑止する警告手段としては、シールまたは乾電池を電源とする１個の光を単独または組み合わせて用いている。
【０００３】
【発明が解決しょうとする課題】
従来の防犯装置にあっては、異状を感知するためのセンサーが１種類かつ１個でその感度が固定されているため、犯罪の手口、使用される道具等に対して充分に対処することが出来ず、また、警報機能としては、警報ブザー単独か、または、単に警報ブザーと通報装置を組み合わせたものであるため、警報効果が低く犯罪を効果的に抑止及び防止することができないと言う問題点があった。
【０００４】
従来の防犯装置にあっては、ＡＣ電源を切断されたときは防犯装置の機能が無くなり、また、乾電池を利用している場合は乾電池を交換する手間が掛かる上、乾電池の交換を忘れたときは防犯装置の機能が無くなると言う問題点があった。
【０００５】
従来の防犯装置にあっては、犯罪を抑止するための警告手段として、シールが用いられているが、犯罪者に、シールのみで防犯装置本体は設置されていないのではないかと言う疑念を抱かせ、抑止効果が低いと言う問題点があった。また、シールと乾電池を電源とする１個の光を組み合わせたものは乾電池を頻繁に交換する必要があった。
【０００６】
従来の防犯装置にあっては、異状を感知するセンサーが１種類で感度が固定であるため、誤作動が多いか又は感度が適切でないために防犯装置の作動が不的確であったり、特定の犯罪手口や使用される特定の道具に対して以外は、的確に機能しないと言う問題点があった。
【０００７】
【課題を解決するための手段】
上記の問題点を解決するために、本発明は、犯罪者に心理的圧力をかけて犯罪を抑止するため、常に複数の光が点滅する警告機を設けると共に、異状を効果的に感知するために種類の異なった複数のセンサーを設けている。また、発生した犯罪を即座に止めさせるため、威嚇光と威嚇音を同時に発生する警報機を設けている。さらに、犯罪の発生と現場の状況を所定の連絡先に通報して、犯罪者の撃退及び逮捕に寄与するために必要な処置を取る事が出来るように、通報装置及び画像転送装置を設けている。
【０００８】
電源が遮断されたときは、非常用バッテリーに自動的に切り替わるとともに、犯罪が開始されたものと認識して、強力な威嚇光と威嚇音を発生する警報機を作動させると同時に通報装置及び画像転送装置を作動させるために、電圧の異状を検知するための電圧センサーを設けている。
【０００９】
電源が遮断された後は、犯罪が開始されたものと認識して、わずかな振動や高熱に対しても警報機を作動させると同時に通報装置及び画像転送装置を作動させるために、センサーの感度を自動的に切り替えるためのセンサー感度自動切り替え機能を設けている。
【００１０】
夜間に犯罪が多いこと及び昼間の誤作動の低減、夜間の効果的な防犯装置の作動等を考慮して、暗くなった後に振動センサーの感度を高くするために、光センサーを設けている。
【００１１】
人を感知した状態で異状振動または異状な高熱を感知したときにだけ、警報装置、通報装置及び画像転送装置を作動させて、犯罪以外の原因による振動センサー等の誤作動を低減するため、人を検知する赤外線センサーを設けている。
【００１２】
【発明の実施の形態】
本発明は、ＡＣ１００Ｖ電源を主電源とし、非常用バッテリーを設け、犯罪を抑止する警告機、異状を検知する異状感知センサー、異状感知センサーからの信号を処理する機能及びセンサー自動切り替え機能等を有するコントローラ、犯罪者を威嚇する警報機、異常事態を通報する通報装置及び画像転送装置からなる防犯装置である。
【００１３】
非常用バッテリーとしては、充電式の電池を使用するとよい。
【００１４】
犯罪を抑止するための警告機としては、常時赤色点滅光を発する複数のＬＥＤ等を取付け、表面に防犯装置作動中を表示するシールを貼付したものがよい。
【００１５】
異状感知センサーとしては、光センサー、赤外線センサー、レーザーセンサー、振動センサー、電圧センサー、扉開閉センサー及び熱検知センサー等を、本防犯装置を装備する目的に応じて組み合わせて使用するとよい。
【００１６】
威嚇を目的とする警報機は、強烈な赤色フラッシュ光と大音響を発するサイレンを一体化し、表面に防犯装置作動中を示すシールを貼付したものがよい。
【００１７】
通報装置は、警報機が作動したとき自動的に、事前に登録した通報先に、メールを送るかまたは電話を接続する、携帯電話を利用する方式がよい。
なお、携帯電話で撮影した画像を一緒に通報する方式のものは、更によい。
【００１８】
画像転送装置は、カメラ、補助バッテリー、メモリー及び通信モデム等を内蔵し、警報機が作動する以前と以後の画像と音声を記録保持し、警報機が作動したとき自動的に、事前に登録した通報先に画像と音声を転送する方式がよい。なお、本画像転送装置が作動中に、通報を受けた側から本画像転送装置を介して犯罪者に音、音声、光等による威嚇が出来る方式のものは更によい。
【００１９】
【実施例】
実施例について図を参照して説明すると、図１は自動販売機に設置した本防犯装置である。
【００２０】
図１において、Ａは自動販売機に設置した本防犯装置であり、自動販売機Ｂの内部に設置されており、防犯装置ＡはＡＣ１００Ｖ１に接続されたコントローラ２、非常用バッテリー３、警告機４、警報機５、通報装置６、画像転送装置７及び異状感知センサーとして振動センサー８、明暗を検知する光センサー９、人を検知する赤外線センサー１０、高感度振動センサー１１及び熱検知センサー１２から構成されている。
【００２１】
コントローラ２の内部には、電源が遮断されたことを検知するための電圧センサー１３、主電源ＡＣ１００Ｖ１からＤＣ電圧を発生する安定化電源１４、前記のセンサー８〜１３からの信号を処理して警報機５を作動させるための信号を発生する信号処理回路１５及び主電源ＡＣ１００Ｖ１が遮断されたときに自動的に非常用バッテリー３に切り替えるための電源自動切り替え回路１６が収納されている。
【００２２】
犯罪を抑止するための警告機４は、３個の赤色ＬＥＤが常に点滅し、その表面に防犯装置作動中を示すシール１７が貼付されており、自動販売機Ｂの正面の透明な樹脂板１８の内側に取り付けられる。
【００２３】
自動販売機荒らしの犯罪を防止するための警報機５は、強力な赤色点滅の威嚇光を発っする光源と大音響の威嚇音を発っするサイレンを一体化したもので表面に防犯装置作動中を示すシール１７が貼付されており、自動販売機Ｂの正面の透明な樹脂板１８の内側に取り付けられる。
【００２４】
主電源ＡＣ１００Ｖ１が遮断されたときは、電圧センサー１３が電源異常を検知して自動的に非常用バッテリー３に切り替わるとともに、犯罪が開始されたものと認識して、信号処理回路１５を介して警報機５が作動し、警報機５に連動して通報装置６と画像転送装置７が作動する。
【００２５】
主電源ＡＣ１００Ｖ１が遮断された後は、犯罪が開始されたものと認識して高感度振動センサー１１が作動可能状態となるとともに、振動センサ８ーと熱検知センサー１２の感度が自動的に切り替わり、わずかな振動や高熱に対しても信号処理回路１５を介して警報機５、通報装置６及び画像転送装置７を作動させる。
【００２６】
信号処理回路１５は、センサー８〜１３からの信号をディジタル処理して、犯罪に使用される道具等から発生する特有の振動及び高熱だけを的確に検知し、犯罪以外の、通行車両による振動や軽微ないたずらによる衝撃等による防犯装置Ａの誤作動を防止する。夜間に犯罪が多いことを考慮して光センサー９が夜間であることを検知した状態では、振動センサー８と熱検知センサー１２の感度を高めている。また、赤外線センサー１０が人の存在を検知した状態で、振動センサー８、高感度振動センサー１１及び熱検知センサー１２が作動した場合のみを犯罪行為と認識して、警報機５、通報装置６及び画像転送装置７を作動させることにより防犯装置Ａの誤作動を低減するとともに防犯効果の向上を図っている。
【００２７】
【発明の効果】
本発明は、以上説明したような形態で実施され、以下に記載されるような効果を奏する。
【００２８】
異なった種類のセンサーを複数個使用し、防犯装置を設置する目的に応じて、センサーを組み合わせ及びセンサーの信号を的確に処理することにより、犯罪による異状な振動や高熱のみを的確に感知し効果的に犯罪を防止する。
【００２９】
防犯装置作動中を示すシールを貼付した、常に点滅する複数の光を発する警告機及び威嚇光と威嚇音を一体化した警報機の外観的威圧効果により、犯罪者に心理的圧力をかけて犯罪を抑止する。
【００３０】
電源を遮断されたとき、自動的に非常用バッテリーに切り替えるとともに警報機により威嚇光と威嚇音を発生させて威嚇し、犯罪を中止させる。
【００３１】
夜間や電源を遮断されたときに、異状感知センサーの感度を高めることにより誤作動の低減を図るとともに犯罪の防止効果を向上させる。
【００３２】
人に起因しない振動や高熱による防犯装置の誤作動を低減する。
【図面の簡単な説明】
【図１】本発明にかかる防犯装置の実施例の説明図である。
【符号の説明】
Ａ  防犯装置
Ｂ  自動販売機
１  主電源ＡＣ１００Ｖ
２  コントローラ
３  非常用バッテリー
４  警告機
５  警報機
６  通報装置
７  画像転送装置
８  振動センサー
９  光センサー
１０赤外線センサー
１１高感度振動センサー
１２熱検知センサー
１３電圧センサー
１４安定化電源
１５信号処理回路
１６電源自動切り替え回路
１７防犯装置作動中シール
１８自動販売機正面透明樹脂板
【図１】
2004310712.tif 000003